(57)【要約】【課題】被取付部の軽量化を図ることができ、釣竿の周方向へのぐらつきを好適に抑制して釣針を保持するフックホルダおよびフックホルダの取付構造を提供する。【解決手段】フックホルダ１０は、線材により形成され、釣竿１に取り付けられて釣針を保持するフックホルダ１０である。フックホルダ１０は、釣針が係止される係止部１１と、係止部１１に連続して設けられ釣竿１に固定される固定部１２と、を備えている。固定部１２は、係止部１１に連続して釣竿１の軸方向に延在する直線部１２ａと、直線部１２ａに連続して釣竿１の周方向に延在する周部１２ｂと、を備えている。【選択図】図５
2018102258.tif 000002
【特許請求の範囲】
【請求項１】
線材により形成され、釣竿に取り付けられて釣針を保持するフックホルダであって、
釣針が係止される係止部と、
前記係止部に連続して設けられ、釣竿に固定される固定部と、を備え、
前記固定部は、前記係止部に連続して釣竿の軸方向に延在する直線部と、前記直線部に連続して釣竿の周方向に延在する周部と、を備えたことを特徴とするフックホルダ。
【請求項２】
前記線材は、Ｕ字状部と、前記Ｕ字状部の両端部から釣竿の周方向両側に延びる一対の分岐部と、を備えており、
前記Ｕ字状部が前記係止部および前記直線部であり、
前記一対の分岐部が前記周部であることを特徴とする請求項１に記載のフックホルダ。
【請求項３】
請求項１または請求項２に記載のフックホルダを釣竿に取り付けるためのフックホルダの取付構造であって、釣竿に取り付けられるキャップリングを備え、釣竿の竿杆に対向する前記キャップリングの内面には、前記周部が係合する係合部が設けられていることを特徴とするフックホルダの取付構造。
【請求項４】
前記係合部は、前記周部の全体を収容することを特徴とする請求項３に記載のフックホルダの取付構造。
【発明の詳細な説明】
【技術分野】
【０００１】
本発明は、釣針を引っ掛けて保持することが可能なフックホルダおよびフックホルダの取付構造に関するものである。
【背景技術】
【０００２】
従来、釣糸の先端に締結された仕掛けの釣針を固定するものとして釣竿に設けられるフックホルダが知られている。フックホルダは、釣り場を移動する場合等、仕掛けが絡んだり、木や身体等の他物に釣針が掛かることを防止するために使用される。
例えば、特許文献１に開示されたフックホルダは、弾力性のある材料で形成された線材を略楕円のリング状に形成して係止部とし、その中央部分を竿杆の外周面に糸止めしたものである。
【０００３】
また、図８に示すようなフックホルダ５０も知られている。このフックホルダ５０は、釣竿の竿杆６０に固定される固定部５１と、図示しない釣針が係止される係止部５２とを備えている。固定部５１の端部５１ａは竿杆６０から立ち上がるように折り曲げられている。フックホルダ５０は、竿杆６０のグリップ６１に装着されるキャップリング６２に対して固定部５１を係合することで、釣竿に取り付けられる。固定部５１の端部５１ａは、キャップリング６２の元部の内側に形成された溝部６３に係合している。
【先行技術文献】
【特許文献】
【０００４】
【特許文献１】実開昭５８−１８７２６５号公報
【発明の概要】
【発明が解決しようとする課題】
【０００５】
しかしながら、図８に示したフックホルダ５０は、固定部５１の端部５１ａが竿杆６０から立ち上がるように折り曲げられているため、これを覆う被取付部側となるキャップリング６２の元部の外径が大径となっていた。これにより、キャップリング６２自体が大型化し部品重量が増加するという課題があった。このように部品重量が増加すると釣竿の持ち重り等のバランスにも影響を及ぼす可能性がある。また、キャップリング６２が大型化すると、釣竿のデザインの自由度が制約されることとなり、特に、細径の竿杆を備えた釣竿に適用した場合には違和感のあるデザインとなってしまう。
また、図８に示したフックホルダ５０では、固定部５１の端部５１ａを保持するために、キャップリング６２を径方向全体に亘って肉厚に形成する必要があり、この点においても部品重量が増加するという課題があった。
なお、特許文献１のフックホルダにおいても、糸を巻いて釣竿の竿杆に取り付ける構造であるため、糸を巻いて固定する分の重量が増加していた。
【０００６】
さらに、図８に示したフックホルダ５０は、固定部５１が竿杆６０の軸方向に延在して上方に折り返されている構造であるため、釣竿の周方向に外力が作用した場合に、釣竿の周方向にぐらつきが生じ易く、係止部５２に係止した釣針が外れるおそれもあった。このことは、特許文献１のフックホルダについても同様に言えることである。
【０００７】
本発明は、前記課題を解決するためになされたものであり、被取付部の軽量化を図ることができ、釣竿の周方向へのぐらつきを好適に抑制して釣針を保持することができるフックホルダおよびフックホルダの取付構造を提供することを目的とする。
【課題を解決するための手段】
【０００８】
前記目的を達成するために本発明のフックホルダは、線材により形成され、釣竿に取り付けられて釣針を保持するフックホルダであって、釣針が係止される係止部と、前記係止部に連続して設けられ、釣竿に固定される固定部と、を備えている。前記固定部は、前記係止部に連続して釣竿の軸方向に延在する直線部と、前記直線部に連続して釣竿の周方向に延在する周部と、を備えている。
【０００９】
本発明のフックホルダによれば、固定部の直線部が釣竿の軸方向に延在しており、固定部の周部が釣竿の周方向に延在しているので、例えば、釣竿のグリップに装着されるキャップリング等に対する固定を軸方向と周方向との両方向で行うことができる。特に、釣竿の周方向に周部が延在しているので、釣竿の周方向へのフックホルダのぐらつきを好適に抑制して釣針を保持することができる。
また、固定部が直線部と周部とから構成され、釣竿から立ち上がる構成を含まないので、被取付部側のキャップリング等の外径、肉厚、重量等の設定を、釣竿のデザインを考慮しつつ適正な大きさにすることができ、軽量化を図ることができる。ここで、キャップリングは、釣竿を構成している部品の中で外径が元々大きい部分であるので、キャップリング自体を適正な大きさに設定することが可能になることで、釣竿のデザインの自由度が格段に向上する。
また、フックホルダの固定のためにキャップリング等の重量増加を考慮する必要がなくなるので、その分、フックホルダの線材径を太くすることも可能である。これにより、重量のあるルアー等の針を掛けた場合にも変形したり外れたりすることのない強度を備えたフックホルダとすることができる。
【００１０】
前記したフックホルダにおいて、前記線材が、Ｕ字状部と、前記Ｕ字状部の両端部から釣竿の周方向両側に延びる一対の分岐部と、を備えている場合には、前記Ｕ字状部が前記係止部および前記直線部であり、前記一対の分岐部が前記周部であるのがよい。このように構成することによって、１本の線材を折り曲げ加工してフックホルダが得られる。したがって、別個の線材でフックホルダを構成した場合に比べて製作が容易である。つまり、一連の加工の流れのなかで係止部や固定部を形成することができ、構成がシンプルであるとともに形成が簡単である。また、部材同士の接続加工を別途必要としないので、生産性にも優れる。
【００１１】
また、周部は、Ｕ字状部の両端部から釣竿の周方向両側に延びているので、釣竿の周方向等に外力が作用した場合に、外力に抗して釣竿の周方向等に踏ん張りが効き、釣竿の周方向等にぐらつきが生じ難い。したがって、係止部に対して安定して釣針を保持することができる。
【００１２】
また、本発明のフックホルダの取付構造は、前記したフックホルダを釣竿に取り付けるための取付構造であって、釣竿に取り付けられるキャップリングを備えている。釣竿の竿杆に対向する前記キャップリングの内面には、前記竿杆の周方向に延在し、前記周部が係合する係合部が設けられていることを特徴とする。
【００１３】
本発明のフックホルダの取付構造によれば、キャップリングの内面の係合部に周部が係合する係合構造により、キャップリングを介して釣竿にフックホルダを簡単に取り付けることができる。また、釣竿の竿杆の外周面とキャップリングとの間に、フックホルダの周部を挟持して取り付けることも可能となり、簡単な取付構造で、係合部から周部が外れるのを好適に防止しつつ、フックホルダを釣竿に取り付けることができる。
【００１４】
前記フックホルダの取付構造において、前記係合部は、前記周部の全体を収容するのがよい。このように構成することによって、キャップリングの周方向に周部を配置してキャップリング内に周部を収めることができる。したがって、キャップリングの小径化を図りつつ周部が外部に露出することを防止したシンプルな取付構造とすることができる。
また、キャップリング内で固定を完結することができるので、側方に配置されるグリップ等に亘って周部を収容するように構成したときのようにグリップに対して収容部等を加工する必要がなくなり取付構造が簡単になる。これにより、釣竿の生産性が向上する。
【発明の効果】
【００１５】
本発明によれば、被取付部の軽量化を図ることができ、釣竿の周方向へのぐらつきを好適に抑制して釣針を保持することができるフックホルダおよびフックホルダの取付構造が得られる。
【図面の簡単な説明】
【００１６】
【図１】本発明の一実施形態に係るフックホルダが適用される釣竿の一部を示す側面図である。
【図２】キャップリングを介して装着されるフックホルダを示す図であり、（ａ）は斜視図、（ｂ）は断面図である。
【図３】フックホルダを示す図であり、（ａ）は側面図、（ｂ）は図３（ａ）に対する平面図、（ｃ）は同じく底面図、（ｄ）は同じく正面図、（ｅ）は同じく背面図である。
【図４】キャップリングを示す図であり、（ａ）は側面図、（ｂ）は図４（ａ）に対する正面図、（ｃ）は同じく背面図、（ｄ）は同じく図４（ｂ）のＡ−Ａ線断面図、（ｅ）は同じく正面下方から見た斜視図である。
【図５】（ａ）はキャップリングに対するフックホルダの組み付け方向を示す斜視図、（ｂ）はキャップリングに組み付けられたフックホルダを示す斜視図である。
【図６】（ａ）は図５（ｂ）のＢ−Ｂ線拡大断面図、（ｂ）は図５（ｂ）のＣ−Ｃ線拡大断面図である。
【図７】（ａ）（ｂ）はフックホルダの変形例を示す斜視図である。
【図８】従来技術の説明図である。
【発明を実施するための形態】
【００１７】
以下、本発明の実施形態のフックホルダおよびフックホルダの取付構造について、図面を参照して説明する。以下の説明において、「前後」および「上下」は、図１に示す方向を基準とする。「前」側は、釣竿に取り付けられるリール固定装置側を言い、「後」側は、これとは反対側となる後グリップ側を言う。
【００１８】
図１に示すように、釣竿１は、複数の竿杆（図示せず）を振出式や並継式にすることで構成されている。基端となる竿杆（元竿杆）１Ａの下側には、フックホルダ１０が備わる。釣竿１を構成する各竿杆は、繊維強化樹脂製の管状体で形成されており、例えば、強化繊維（主に炭素繊維やガラス繊維等）にエポキシ樹脂等の合成樹脂が含浸されてなる繊維強化樹脂プリプレグ（プリプレグシート）を芯金に巻回し加熱工程を経た後、脱芯する等、定法に従って形成することが可能である。なお、本発明に係る釣竿１は、１本竿として構成されていてもよく、竿杆については、中実状（円柱状）に構成されていてもよい。
【００１９】
竿杆１Ａには、図示しない魚釣用リールを固定するためのリール固定装置２が取り付けられている。また、竿杆１Ａには、握持性を高めるために、前グリップ３および後グリップ４が設けられている。前グリップ３と後グリップ４とは、竿杆１Ａの前後に間隔を空けて配置されており、その間に竿杆１Ａが露出している。前グリップ３は、リール固定装置２の後端に連続して設けられている。前グリップ３の後端部には、キャップリング２０が装着されている。フックホルダ１０は、図２（ａ）（ｂ）に示すように、このキャップリング２０を介して竿杆１Ａに取り付けられている。
【００２０】
フックホルダ１０は、図示しない釣針が係止される係止部１１と、係止部１１と一体に形成されキャップリング２０に対して固定される固定部１２と、を備えている。係止部１１および固定部１２は、アルミニウム等の金属によって構成された１本の線材を所望の形状に折り曲げることによって形成されている。具体的には、図３（ａ）〜（ｃ）に示すように、１本の線材の中間部となる部分を１８０度折り返してＵ字状部を形成し、そのＵ字状部の両端部から竿杆１Ａ（図１参照、以下同じ）の周方向両側に延びる一対の分岐部を形成する。ここで、Ｕ字状部は、係止部１１および固定部１２の後記する直線部１２ａである。また、一対の分岐部は、固定部１２の後記する周部１２ｂである。
【００２１】
係止部１１は、図２（ａ）（ｂ）に示すように、竿杆１Ａの外周面上に露出している。係止部１１は、竿杆１Ａから離れる方向に立ち上がる側面視山形状を呈している（図３（ａ）参照）。係止部１１の湾曲頂部１１ａは、図２（ｂ）に示すように、前グリップ３の後端の外面３ａよりも径方向内側に位置している。これにより、フックホルダ１０の不使用時等に、糸フケ等によって後方へ膨らんだ釣糸が係止部１１に対して引っ掛かり難くなっている。係止部１１は、後部が湾曲谷部１１ｂで屈曲され径方向外側方向に傾斜状に延出している。
【００２２】
湾曲谷部１１ｂは、竿杆１Ａの外周面との間に隙間Ｓ１を形成している。隙間Ｓ１を有することで、係止部１１への釣針の係止操作が行い易くなっている。
隙間Ｓ１は、固定部１２がキャップリング２０に係合されてフックホルダ１０が竿杆１Ａに位置決めされることで形成される。つまり、固定部１２をキャップリング２０に係合することで、竿杆１Ａに対するフックホルダ１０の姿勢が決定されるようになっている。
【００２３】
固定部１２は、係止部１１に連続する直線部１２ａと、直線部１２ａに連続する周部１２ｂとを備えている。各直線部１２ａは、竿杆１Ａの軸方向に沿って前方へ直線状に（平行状に）延在している。各周部１２ｂは、各直線部１２ａの前端部から屈曲されて竿杆１Ａの周方向両側に延在している。各周部１２ｂは、竿杆１Ａの外周面に倣って湾曲状に形成されている（図３（ｄ）（ｅ）参照）。なお、各周部１２ｂは、直線状に形成しても差し支えない。また、各周部１２ｂの長さは、適宜設定することができる。
【００２４】
キャップリング２０は、図２（ａ）（ｂ）に示すように、竿杆１Ａに外装されて前グリップ３の後端部に装着される部材である。キャップリング２０には、前記したようにフックホルダ１０が取り付けられる。キャップリング２０は、図４各図に示すように、小径部２１と、小径部２１よりも大径に形成された大径部２２と、フックホルダ１０の前記した固定部１２が係合される係合部２０Ａと、を備えている。
【００２５】
小径部２１は、肉薄の円筒状を呈しており、前方へ向けて突出している。小径部２１は、図２（ｂ）に示すように、前グリップ３の後端内周部に形成された周溝３ｂに嵌入される。小径部２１には、図２（ｂ）（ｅ）に示すように、係合部２０Ａに通じる切欠き部２５が形成されている。
【００２６】
大径部２２の前部２２ｂは、図２（ｂ）に示すように、前グリップ３の後端面に当て付けられるように装着される。大径部２２の前部２２ｂは、前グリップ３の後端面を覆う外径を備えている。大径部２２は、図４（ａ）（ｄ）に示すように、後方へ向けて縮径する傾斜面を備えている。これにより、図４（ｄ）に示すように、大径部２２の前部２２ｂにおける径方向の肉厚は、他の部分に比べて分厚くなっている。大径部２２の内側には係合部２０Ａが形成されている。
【００２７】
係合部２０Ａは、図４（ｅ）に示すように、大径部２２の内面２２ａに凹設されており、軸方向に延在する細溝部２３と、周方向に幅広に形成された周溝部２４と、を備えて構成されている。細溝部２３の後端は、図４（ｃ）に示すように、大径部２２の後端部に開口している。細溝部２３の前端は、図４（ｄ）（ｅ）に示すように、周溝部２４に連続している。細溝部２３には、図５（ａ）（ｂ）に示すように、フックホルダ１０の固定部１２の直線部１２ａ，１２ａが下方から挿入されて係合される（図６（ａ）参照）。係合された状態で、直線部１２ａ，１２ａは、図５（ｂ）に示すように、細溝部２３を形成する大径部２２の両側部２２ｃ，２２ｃによって周方向に挟持される（図６（ｂ）参照）。
【００２８】
周溝部２４は、図４（ｄ）（ｅ）に示すように、細溝部２３に連続して細溝部２３の前方に形成されており、細溝部２３を中心として大径部２２の周方向両側に延在する四角溝状を呈している。周溝部２４は、図４（ｄ）に示すように、前記した大径部２２の前部２２ｂの径方向内側に位置している。つまり、径方向の肉厚が他の部分に比べて分厚く形成された前部２２ｂの内側に周溝部２４が形成されている。これにより、周溝部２４の周辺の強度が向上されている。周溝部２４には、図５（ａ）（ｂ）に示すように、フックホルダ１０の固定部１２の周部１２ｂ，１２ｂが下方から挿入されて係合される。周溝部２４内に固定部１２の周部１２ｂ，１２ｂの全体が収まるようになっている（図５（ｂ）、図６（ａ）参照）。周溝部２４は小径部２１の切欠き部２５に連通している。
【００２９】
係合部２０Ａにおける細溝部２３および周溝部２４の径方向の深さは、フックホルダ１０の固定部１２の直線部１２ａおよび周部１２ｂがそれぞれ係合して収容される深さに形成されていればよい。より好ましくは、竿杆１Ａの外周面との間にフックホルダ１０の固定部１２をぐらつくことなく挟持することのできる収容深さを備えているのがよい。
【００３０】
以上説明した本実施形態のフックホルダ１０によれば、固定部１２の直線部１２ａが竿杆１Ａの軸方向に延在しており、固定部１２の周部１２ｂが竿杆１Ａの周方向に延在しているので、竿杆１Ａに装着されるキャップリング２０に対する固定を軸方向と周方向との両方向で行うことができる。特に、竿杆１Ａの周方向に周部１２ｂ，１２ｂが延在しているので、竿杆１Ａの周方向へのフックホルダ１０のぐらつきを好適に抑制して釣針を保持することができる。
【００３１】
また、固定部１２が直線部１２ａと周部１２ｂとから構成され、竿杆１Ａから立ち上がる構成を含まないので、被取付部側となるキャップリング２０の外径、肉厚、重量等を釣竿１（竿杆１Ａ）のデザインを考慮しつつ適正な大きさに設定することができ、軽量化を図ることができる。ここで、キャップリング２０の大径部２２の前部２２ｂは、釣竿１を構成している部品の中で外径が元々大きい部分であり、この部分を固定部１２を係合するために特別に大きく形成する必要がなくなるので、釣竿１のデザインの自由度が格段に向上する。
【００３２】
また、キャップリング２０の重量増加を考慮する必要がなくなるので、その分、フックホルダ１０の線材径を太くすることも可能である。これにより、重量のあるルアー等の針を掛けた場合にも変形したり外れたりすることのない強度を備えたフックホルダ１０とすることができる。
【００３３】
また、フックホルダ１０は、１本の線材を折り曲げ加工して得られるので、別個の線材で構成した場合に比べてフックホルダ１０の製作が容易である。つまり、一連の加工の流れのなかで係止部１１や固定部１２を形成することができ、構成がシンプルであるとともに形成が簡単である。また、部材同士の接続加工を別途必要としないので、生産性にも優れる。
【００３４】
また、周部１２ｂ，１２ｂは、各直線部１２ａの端部から釣竿１（竿杆１Ａ）の周方向両側に延在しているので、図２（ａ）に示すように、釣竿１（竿杆１Ａ）の周方向（Ｘ１方向）や水平方向（Ｘ２方向）等に外力が作用した場合に、外力に抗して釣竿１（竿杆１Ａ）の周方向や水平方向に踏ん張りが効き、釣竿１（竿杆１Ａ）の周方向や水平方向にぐらつきが生じ難い。したがって、係止部１１に対して安定して釣針を保持することができる。
【００３５】
また、本実施形態のフックホルダ１０の取付構造によれば、キャップリング２０の内面２２ａの係合部２０Ａに周部１２ｂ，１２ｂが係合する係合構造により、キャップリング２０を介して釣竿１（竿杆１Ａ）にフックホルダ１０を簡単に取り付けることができる。また、竿杆１Ａの外周面とキャップリング２０との間に、フックホルダ１０の周部１２ｂ，１２ｂを挟持して取り付けることも可能となり、簡単な取付構造で、係合部２０Ａから周部１２ｂ，１２ｂが外れるのを好適に防止しつつ、フックホルダ１０を釣竿１（竿杆１Ａ）に取り付けることができる。
【００３６】
また、係合部２０Ａは、周部１２ｂ，１２ｂの全体を収容するので、キャップリング２０の周方向に周部１２ｂ，１２ｂを配置してキャップリング２０内に周部１２ｂ，１２ｂを収めることができる。したがって、キャップリング２０の小径化を図りつつ周部１２ｂ，１２ｂが外部に露出することを防止したシンプルな取付構造とすることができる。
また、キャップリング２０内で固定を完結することができるので、前方に配置される前グリップ３に亘って周部１２ｂ，１２ｂを収容するように構成したときのように前グリップ３に対して収容部等を加工する必要がなくなり取付構造が簡単になる。これにより、釣竿１の生産性が向上する。
【００３７】
以上、本発明の実施形態について説明したが、本発明は前記実施形態で説明した例に限定されない。
例えば、前記実施形態では、フックホルダ１０がキャップリング２０に取り付けられる取付構造について説明したが、これに限られることはなく、被取付部として、リール固定装置２自体や後グリップ４に装着されるキャップリング、竿杆１Ａ自体に装着される装着部材等に対してフックホルダ１０の固定部１２を固定するように構成してもよい。
【００３８】
また、フックホルダ１０は、竿杆１Ａの下側に配置したものを示したが、これに限られることはなく、竿杆１Ａの周方向の適宜の位置に配置してもよい。
【００３９】
また、図７（ａ）（ｂ）に示すように、フックホルダ１０を変形してもよい。図７（ａ）に示すフックホルダ１０は、周部１２ｂ，１２ｂを周方向斜め前方に向けて（平面視で直線部１２ａに対して鈍角）に設定したものである。このように構成することによって、前記した作用効果に加え、竿杆１Ａ（図１参照）の軸方向に固定部１２を長く保持することができるので、フックホルダ１０を安定して取り付けることができる。
【００４０】
図７（ｂ）示すフックホルダ１０は、Ｕ字状とすることなく１本の線材で構成したものである。この例では、固定部１２において、直線部１２ａの端部に周部１２ｂを接着剤や溶接等により接続している。このように構成することによって、前記した作用効果に加え、フックホルダ１０をよりシンプルな構成にすることができる。
【符号の説明】
【００４１】
１      釣竿
１Ａ    竿杆
１０    フックホルダ
１１    係止部
１２    固定部
１２ａ  直線部
１２ｂ  周部
２０    キャップリング
２０Ａ  係合部
２１    小径部
２２    大径部
２２ａ  内面
【図１】
2018102258.tif 000003
【図２】
2018102258.tif 000004
【図３】
2018102258.tif 000005
【図４】
2018102258.tif 000006
【図５】
2018102258.tif 000007
【図６】
2018102258.tif 000008
【図７】
2018102258.tif 000009
【図８】
2018102258.tif 000010